(57)【要約】【課題】  糊上げローラーに接触している部分のみが糊上げローラーに付着し、糊上げローラーの表面と貯留されている糊との間に隙間が生じ、糊容器の底部に糊が残っているにもかかわらず、糊上げローラーに付着しなくなり、使用されないで残ってしまう残留糊量を低減する壁紙糊付機が要望されている。【解決手段】  糊容器に貯留した糊をローラーにより汲み上げて壁紙に塗布する壁紙糊付機であって、糊容器に貯留されている糊をローラーの方向へ寄せる糊寄せ手段を設け、糊寄せ手段は、糊容器の底面の、ローラー方向への下り勾配を大きくして、糊切れ状態で糊容器に残留する糊をローラーの方向へ寄せてローラーに付着し易くすることにより、糊切れ状態で糊容器に残留する糊を低減させることを特徴とする。【選択図】図５
2020025910.tif 000002
【特許請求の範囲】
【請求項１】
糊容器に貯留した糊をローラーにより汲み上げて壁紙に塗布する壁紙糊付機であって、
前記糊容器に貯留されている糊を前記ローラーの方向へ寄せる糊寄せ手段を設け、
前記糊寄せ手段は、前記糊容器の底面の、前記ローラー方向への下り勾配を大きくして、
糊切れ状態で前記糊容器に残留する糊を前記ローラーの方向へ寄せて前記ローラーに付着し易くすることにより、糊切れ状態で前記糊容器に残留する糊を低減させることを特徴とする壁紙糊付機。
【請求項２】
前記糊容器は、内側に糊容器内層を有する二重構造であり、前記糊寄せ手段は、前記糊容器内層の底面を変形させることにより、前記糊容器内層の底面の、前記ローラー方向への下り勾配を大きくするこを特徴とする前記請求項１記載の壁紙糊付機。
【請求項３】
前記糊容器は、底面に変形可能な変形部を有し、前記糊寄せ手段は、前記変形部を変形させることにより、前記糊容器の底面の、前記ローラー方向への下り勾配を大きくすること特徴とする前記請求項１記載の壁紙糊付機。
【請求項４】
前記糊容器に貯留した糊の、前記ローラー停止中の液面高さと、前記ローラー回転中の液面高さの差が所定以下になった場合に、糊切れ状態であると判定することを特徴とする、
前記請求項１記載の壁紙糊付機。
【発明の詳細な説明】
【技術分野】
【０００１】
本発明は、部屋の天井や壁面に貼る壁紙に糊を塗布するための壁紙糊付機である。
詳しくは、糊容器に貯留されている糊を糊上げローラーの方向へ寄せるための糊寄せ手段を設け、糊切れ状態で糊容器に残留する糊を糊上げローラーの方向によせて糊上げローラーに付着し易くすることにより、糊切れ状態で糊容器に残留する糊を低減する壁紙糊付機である。
【背景技術】
【０００２】
従来技術の壁紙糊付機（１０１）を図１２と図１３に示す。
従来技術の壁紙糊付機（１０１）は、脚（１０２）の上に本体部（１０３）が着脱自在に装着され、本体部（１０３）には、スリッター（１０４）と制御装置（１０５）と糊容器（１０７）が着脱自在に装着され、脚（１０２）の後方には、壁紙保持用リール（１０６）が着脱自在に装着される。
【０００３】
また、本体部（１０３）は、左右一対の上部フレーム（１０８）と左右一対の下部フレーム（１０９）と壁紙Ａを搬送して糊Ｂを塗布するための複数のローラーと歯車で構成され、
左右一対の上部フレーム（１０８）には、
検尺ローラー（１１０）とハイテンションローラー（１１１）と押さえローラー（１１２）が軸支されており、左右一対の下部フレーム（１０９）には、送り出しローラー（１１３）と糊付けローラー（１１４）とナラシローラー（１１５）とドクターローラー（１１９）が軸支されている。
【０００４】
また、左右一対の下部フレーム（１０９）には、糊容器（１０７）を装着するための、
左右一対の糊容器脚受け（１１６）と 左右一対の糊容器受け（１１７）が設けられ、
糊容器（１０７）が本体部（１０３）に装着されている場合に、糊容器（１０７）の内部に設けられた糊上げローラー（１１８）が、糊付けローラー（１１４）に所定の隙間を持って配置され、糊上げローラー（１１８）の回転により糊Ｂが糊容器（１０７）から汲み上げられて糊付けローラー（１１４）に転写され、ドクターローラー（１１９）により定められた厚みの糊Ｂが壁紙Ａに塗布される。
【０００５】
また、糊上げローラー（１１８）に関しては、図１１に示した壁紙糊付機（１０１）は、１本の糊上げローラー（１１８）を糊容器（１０７）の内部に脱着自在に装着する方式であるが、２本の糊上げローラー（図示せず）を上下に重ねて配置する方式のものや、糊付けローラー（１１４）が糊容器（１０７）に入り込むように配置されて、糊付けローラー（１１４）が直接、糊Ｂを汲み上げる方式の壁紙糊付機（図示せず）が具現化されている。
【０００６】
また、糊Ｂが塗布される壁紙Ａは、壁紙保持用リール（１０６）にセットされ、脚（１０２）の後方に設けられた原反受け（１２０）に装着され、スリッター（１０４）を通されて、
送り出しローラー（１１３）と検尺ローラー（１１０）によって内部に搬送され、裏面が糊付けローラー（１１４）に押さえつけられて糊Ｂが塗布され、ナラシローラー（１１５）によって均されて、壁紙糊付機（１０１）の正面側へ排出される。
【０００７】
以上で説明した構成の壁紙糊付機（１０１）を用いて内装施工する場合、糊Ｂが塗布される壁紙Ａの長さと枚数は、制御装置（１０５）の表示操作部（１２１）から、作業者により設定され、糊付けスタートスイッチ（図示せず）が押されると、
制御装置（１０５）の内部に設けられた演算部（図示せず）がモーター（図示せず）を起動し、壁紙Ａが搬送され、糊Ｂが塗布され、搬送される壁紙Ａの長さを、検尺部（図示せず）と検尺ローラー（１１０）により生成された検尺信号を演算部（図示せず）が演算することにより、設定された長さの壁紙Ａの糊付けが実行される。
【０００８】
また、壁紙Ａに塗布する糊Ｂは、ペースト糊を水で希釈して撹拌したペースト糊がよく用いられており、粘度は薄いもので４０００ｃＰ濃いもので１２０００ｃＰである。
【０００９】
糊付け実行中の糊容器（１０７）の内部の糊Ｂの状態を図１４と図１５を用いて説明する。
図１４と図１５は、１本の糊上げローラー（１１８）により糊Ｂを汲み上げる方式の場合であり、図の右側が壁紙糊付機の正面側（壁紙Ａが排出される方向）である。矢印はローラーの回転方向を表す。
図１４（ａ）は、糊容器（１０７）に貯留されている糊Ｂが満状態で、糊上げローラー（１１８）が停止している時の糊Ｂの液面高さを表しており、図１４（ｂ）は、糊Ｂが満状態で糊上げローラー（１１８）が回転している時を表している。
糊上げローラー（１１８）が回転すると糊Ｂの偏りが生じる。偏りの程度は糊Ｂの粘度により異なる。
【００１０】
図１５（ａ）は、糊容器（１０７）に貯留されている糊Ｂが糊切れ状態で、糊上げローラー（１１８）が停止している時の糊Ｂの液面高さを表しており、
図１５（ｂ）は、糊切れ状態で、糊上げローラー（１１８）が回転している時を表している。
図１５（ｂ）の状態では糊上げローラー（１１８）が回転しても、糊Ｂを、糊上げローラー（１１８）の全幅に渡って均一に汲み上げることができず、糊かすれが生じる状態である。
この状態を糊切れ状態と称する。
【先行技術文献】
【特許文献】
【００１１】
【特許文献１】特開２００１−１７９１４９号
【発明の開示】
【発明が解決しようとする課題】
【００１２】
糊付けを実行し、糊が少なくなった時、糊が流動しなくなり、
糊上げローラーに接触している部分のみが糊上げローラーに付着し、糊上げローラーの表面と貯留されている糊との間に隙間が生じ、まだ糊容器の底部に糊が残っているにもかかわらず、糊上げローラーに付着しなくなり、糊切れ状態に陥る。
図１５（ｂ）の、２点鎖線で示す液面高さから、実線で示す液面高さまでの糊Ｂが使用された使用糊量であり、斜線で示す糊Ｂが、使用されないで残ってしまう残留糊量である。
残留糊量は一般に無効糊と称されている。
このような背景から、糊切れ状態に至った時に糊容器に残る残留糊量を低減する壁紙糊付機が要望されている。
【課題を解決するための手段】
【００１３】
糊容器に貯留した糊をローラーにより汲み上げて壁紙に塗布する壁紙糊付機であって、
糊容器に貯留されている糊をローラーの方向へ寄せる糊寄せ手段を設け、
糊寄せ手段は、糊容器の底面の、ローラー方向への下り勾配を大きくして、
糊切れ状態で糊容器に残留する糊をローラーの方向へ寄せてローラーに付着し易くすることにより、糊切れ状態で糊容器に残留する糊を低減させることを特徴とする。
【００１４】
糊容器は、内側に糊容器内層を有する二重構造であり、糊寄せ手段は、糊容器内層の底面を変形させることにより、糊容器内層の底面の、ローラー方向への下り勾配を大きくするこを特徴とする。
【００１５】
糊容器は、底面に変形可能な変形部を有し、糊寄せ手段は、変形部を変形させることにより、糊容器の底面の、ローラー方向への下り勾配を大きくすること特徴とする。
【００１６】
糊容器に貯留した糊の、ローラー停止中の液面高さと、ローラー回転中の液面高さの差が所定以下になった場合に、糊切れ状態であると判定することを特徴とする。
【発明の効果】
【００１７】
糊容器に貯留した糊をローラーにより汲み上げて壁紙に塗布する壁紙糊付機であって、
糊容器に貯留されている糊をローラーの方向へ寄せる糊寄せ手段を設け、
糊寄せ手段は、糊容器の底面の、ローラー方向への下り勾配を大きくして、
糊切れ状態で糊容器に残留する糊をローラーの方向へ寄せてローラーに付着し易くすることにより、糊切れ状態で糊容器に残留する糊を低減させることを特徴とするので、
ローラーと糊容器の正面の間に溜まっている糊の、ローラーに接触する圧力が高まり、ローラーに付着して汲み上げられるようになり、残留する糊の量を減少させることができる。
【００１８】
糊容器は、内側に糊容器内層を有する二重構造であり、糊寄せ手段は、糊容器内層の底面を変形させることにより、糊容器内層の底面の、ローラー方向への下り勾配を大きくするこを特徴とするので、
糊容器に残留されている糊が漏れることなくローラーの方向に寄せることができ、
また、簡単で安価な方法で実現できるものである。
【００１９】
糊容器は、底面に変形可能な変形部を有し、糊寄せ手段は、変形部を変形させることにより、糊容器の底面の、ローラー方向への下り勾配を大きくすること特徴とするので、
糊容器に残留されている糊が漏れることなくローラーの方向に寄せることができ、  
また、簡単で安価な方法で実現できるものである。
【００２０】
糊容器に貯留した糊の、ローラー停止中の液面高さと、ローラー回転中の液面高さの差が所定以下になった場合に、糊切れ状態であると判定することを特徴とするので、壁紙に塗布される糊がかすれる前に、糊寄せ手段を作動させることができる。
【図面の簡単な説明】
【００２１】
【図１】図１は、本発明の壁紙糊付機を説明するための図である。
【図２】図２は、本発明の壁紙糊付機を説明するための断面図である。
【図３】図３は、本発明の壁紙糊付機の機能ブロック図である。
【図４】図４は、本発明の糊容器と糊寄せを説明するための斜視図である。
【図５】図５は、本発明の糊容器と糊寄せを説明するための図であり、図５（ａ）は正面図断面図であり、図５（ｂ）は側面断面図であり、図５（ｃ）は、糊寄せが作用した時の側面断面図である。
【図６】図６は、糊寄せが作用した時の糊容器内層の状態を説明するための図である。
【図７】図７は、本発明の糊容器と糊寄せを説明するための斜視図である。
【図８】図８は、本発明の糊容器と糊寄せを説明するための図であり、図８（ａ）は正面図断面図であり、図８（ｂ）は側面断面図であり、図８（ｃ）は、糊寄せが作用した時の側面断面図である。
【図９】図９は、本発明の糊容器と糊寄せを説明するための斜視図である。
【図１０】図１０は、本発明の糊容器と糊寄せを説明するための図であり、図１０（ａ）は正面図であり、図１０（ｂ）は側面図である。
【図１１】図１１は、本発明の糊容器と糊寄せを説明するための図であり、図１１（ａ）は側面図であり、図１０（ｂ）は糊寄せが作用した時の側面図である。
【図１２】図１２は、従来技術の壁紙糊付機を説明するための図である。
【図１３】図１３は、従来技術の壁紙糊付機を説明するための断面図である。
【図１４】図１４は、従来技術の壁紙糊付機の糊が満状態の時の糊の偏りを説明するための断面図であり、図１４（ａ）は、糊上げローラーが停止している時であり、図１４（ｂ）は、糊上げローラーが回転している時である。
【図１５】図１５は、従来技術の壁紙糊付機の糊が糊切れ状態の時の糊の偏りを説明するための断面図であり、図１５（ａ）は、糊上げローラーが停止している時であり、図１５（ｂ）は、糊上げローラーが回転している時である。
【発明を実施するための最良の形態】
【００２２】
図１と図２に本発明の壁紙糊付機を示す。
脚（２）の上に本体部（３）が着脱自在に装着され、本体部（３）には、スリッター（４）と制御装置（５）と糊容器（７）が着脱自在に装着され、脚（２）の後方には、壁紙保持用リール（６）を装着するための原反受け（２０）が設けられている。
【００２３】
また、本体部（３）は、左右一対の上部フレーム（８）と左右一対の下部フレーム（９）と、壁紙Ａを搬送して糊Ｂを塗布するための複数のローラーと歯車で構成され、左右一対の上部フレーム（８）には、検尺ローラー（１０）とハイテンションローラー（１１）と押さえローラー（１２）が軸支されており、左右一対の下部フレーム（９）には、送り出しローラー（１３）と糊付けローラー（１４）とナラシローラー（１５）とドクターローラー（１９）が軸支されている。
【００２４】
また、左右一対の上部フレーム（８）を接続する上部ステー（２８）には、糊容器（７）に貯留されている糊Ｂの液面高さを測定するための液面測定部（２６）が取り付けられている。
【００２５】
続いて、本発明の自動壁紙糊付機（１）の制御装置（５）の機能ブロックを図３に示す。
制御装置（５）には、液晶表示器とＬＥＤにより構成される表示操作部（２１）が設けられており、作業者が設定した「設定糊付け長さ」や「設定枚数」や「糊付け実行速度」などの、糊付けを実行するための作動条件や、補助機能の設定内容や、高電圧や糊残量などの警告や、糊を塗布して排出した壁紙Ａの長さである「実行糊付け長さ」などを表示する。
表示操作部（２１）には、自動壁紙糊付機（１）を操作するための複数のキースイッチ（図示せず）が設けられている。また、操作音や通知音を発生するブザー（図示せず）が設けられている。
【００２６】
モーター（２７）はＤＣブラシレスモーターであり、内部に実装されたホール素子によりローターの位置を検出して回転方向と回転速度に比例した信号を出力する機能を有している。
【００２７】
モーター制御部（２４）はモーター（２７）から出力される回転方向や回転速度に比例した信号によりモーター（２７）を速度制御するものである。
【００２８】
記憶部（２２）は、演算部（２３）が処理を実行する為に必要な変数や、作動条件などのデータや糊付実行レコード等のデーターを記憶するためのＲＡＭとＲＯＭである。
【００２９】
検尺部（２５）は、搬送される壁紙に従動回転する検尺ローラー（１０）の回転に比例する検尺信号を生成し、搬送された壁紙Ａの長さＬを、生成された検尺信号のパルスの数を変数ｔとして計数し、演算式  Ｌ＝ｔ×Ｐ  （Ｐは１パルスの壁紙移動長＝２．５ｍｍ）により算出する。
検尺信号は、検尺ローラー（１０）に設けられたスリット板（図示せず）とフォトマイクロセンサ（図示せず）により生成され、演算は、制御装置（５）の演算部（２３）が行う。
本発明の自動壁紙糊付機（１）では、検尺ローラー（１０）が１回転すれば、検尺信号は４８パルス生成され、壁紙Ａが２．５ｍｍ移動すると１パルス発生するように検尺ローラー（１０）の外径を定めている。
演算部（２３）は、糊付けを実行しつつ、演算により求めた長さＬを「実行糊付け長さ」として、表示操作部（２１）に表示する。
【００３０】
液面測定部（２６）は、糊容器（７）に貯留された糊Ｂの液面高さを測定するためのもので、測定した液面高さデータを演算部（２３）に伝達する。
液面測定部（２６）は、レーザー光源をワークに向けて照射して反射光によりワークまでの距離を測定する方式のセンサが上部ステー（２８）に取り付けられ、糊上げローラー（１８）と、糊容器（７）の正面（７ａ）の間の糊Ｂの液面高さを測定する。
演算部（２３）は、壁紙Ａを搬送する前（糊上げローラー（１８）の停止中）に糊Ｂの液面高さを測定して変数Ｌ１として、記憶部（２２）に記憶しておき、壁紙Ａを搬送させている途中の糊Ｂの液面高さを、検尺ローラー（１０）の回転に比例する検尺信号を計数し、演算式  Ｌ＝ｔ×Ｐ  （Ｐは１パルスの壁紙移動長＝２．５ｍｍ）により、５０ｃｍ搬送する毎に測定して、変数Ｌ２として記憶し、液面高さの差を、Ｌ３（液面高さ差）＝Ｌ２−Ｌ１として算出し、（液面高さ差）Ｌ３が所定の値よりも小さくなった場合に、糊Ｂが流動していないので、糊切れ状態であると判定する。
液面測定部（２６）は、演算部（２３）が、すみやかに糊切れ状態を判定し、表示操作部（２１）に糊切れ警告をだし、壁紙Ａに塗布される糊Ｂがかすれる前に、糊寄せ手段を作動させるためのものである。
【００３１】
演算部（２３）は、主にワンチップマイコンからなり、予め定められたシーケンスを実行することにより、自動壁紙糊付機（１）を制御するものであり、検尺部（２５）により生成される検尺信号を計数して搬送した壁紙Ａの「実行糊付け長さ」を算出する。また、表示操作部（２１）やモーター制御部（２４）などを制御する機能を有している。
【００３２】
続いて、第１の実施形態の糊寄せ（３４）を図４と図５を用いて説明する。
糊容器（７）は、糊容器（７）の内側に糊容器内層（３１）が装着される二重構造となっている。
図４に示すように、糊容器（７）の正面（７ａ）と背面（７ｂ）と左側面（７ｃ）と右側面（７ｄ）と底面（７ｅ）と底面（７ｆ）に、糊容器内層（３１）の正面（３１ａ）と背面（３１ｂ）と左側面（３１ｃ）と右側面（３１ｄ）と底面（３１ｅ）と底面（３１ｆ）が重なり、背面（３１ｂ）の上端付近と、左側面（３１ｃ）の糊上げローラ逃がし穴（３２ａ）の周囲と、右側面（３１ｄ）の糊上げローラ逃がし穴（３２ｂ）の周囲にのみ弱粘着性の粘着剤が塗ってあり、糊容器内層（３１）は糊容器（７）の内側に、分離可能に装着され、
糊容器（７）と糊容器内層（３１）の間に糊寄せ（３４）が脱着自在に装着される構成である。
また、糊容器（７）と糊寄せ（３４）はアルミ材質であり、糊容器内層（３１）は変形と復元ができる程度の厚みの樹脂材質である。
【００３３】
また、糊容器（７）の左側面（７ｃ）には円弧状のガイド穴（３７ａ）が設けられており、
図５（ａ）に示すように、操作つまみ（３６ａ）が左側面（７ｃ）の外側からガイド穴（３７ａ）を通過して糊容器（７）の内側へ突きだして、糊寄せ（３４）の左端の雌ネジ（３５ａ）に取り付けられる。同様に、右側面（７ｄ）には円弧状のガイド穴（３７ｂ）が設けられており、操作つまみ（３６ｂ）が右側面（７ｄ）の外側からガイド穴（３７ｂ）を通過して糊容器（７）の内側へ突きだして、糊寄せ（３４）の右端の雌ネジ（３５ｂ）に取り付けられており、糊寄せ（３４）は、操作つまみ（３６ａ）がガイド穴（３７ａ）の中を動いて、保持溝（３７ｃ）で保持され、同様に、操作つまみ（３６ｂ）がガイド穴（３７ｂ）の中を動いて、糊寄せ（３４）の底面（３４ｂ）の、糊上げローラー（１８）に向かう下り勾配の大きさを可変し、糊寄せ（３４）の底面（３４ｂ）の下り勾配が一番大きくなる位置で、保持溝（３７ｄ）と保持溝（３７ｃ）により保持される構成である。
【００３４】
また、外側の糊容器（７）の左側面（７ｃ）と右側面（７ｄ）には、糊上げローラー（１８）を脱着自在に装着するための糊上げローラー受け（３０ａ）と糊上げローラー受け（３０ｂ）が設けられている。
【００３５】
続いて、本発明の自動壁紙糊付機（１）を用いて壁紙Ａの糊付けを行っている時の糊寄せ（３４）の作用について説明する。
自動壁紙糊付機（１）の制御装置（５）の演算部（２３）は、作業者により糊付けスタートスイッチ（図示せず）が押されることにより糊付けを実行し、糊上げローラー（１８）を回転させている時の液面高さと糊上げローラー（１８）の停止中の糊Ｂの液面高さの差が所定以下になった場合に表示操作部（２１）に糊切れ警告をだす。
貯留されている糊Ｂが図５（ｂ）の状態まで減少すると液面高さの差はなくなるので、糊切れ警告をだす。
そして、作業者の手により、操作つまみ（３６ａ）と操作つまみ（３６ｂ）が上方へ動かされて保持溝（３７ｄ）で保持され、
図５（ｃ）に示すように、糊寄せ（３４）の底面（３４ｂ）が、糊上げローラー（１８）に向かう下り勾配が大きくなる方向に傾いた位置で保持され、糊容器内層（３１）の正面（３１ａ）と底面（３１ｆ）は変形して糊上げローラー（１８）の方へ曲げられ、糊上げローラー（１８）と糊容器（７）の正面（７ａ）の間に溜まっている糊Ｂが、糊上げローラー（１８）の方へ寄せられ、糊上げローラー（１８）に接触する圧力が高まり、糊上げローラー（１８）に付着して汲み上げられるようになる。
【００３６】
図５（ｃ）の状態の糊容器内層（３１）の変形の様子を図６を用いて説明する。
糊容器内層（３１）の正面（３１ａ）が糊寄せ（３４）により持ち上げられながら内側へ押されるのであるが、糊寄せ（３４）が移動する範囲の糊容器内層（３１）は、糊容器（７）に粘着されていないので、左側面（３１ｃ）と右側面（３１ｄ）に、それぞれたくれＣが生じる。図６では、わかり易くするために、たくれＣを大きく描いているが、実際にはもう少し小さいので、糊上げローラー（１８）などに接触しない。
たくれは糊寄せ（３４）が図５（ｂ）の状態に戻った時にはなくなる。
また、糊容器内層（３１）は安価なものであり、簡単に糊容器（７）から分離できるので、ひとつの現場での糊付け作業が終わった時に廃棄して、次の現場で新しい糊容器内層（３１）を装着してもよい。
【００３７】
そして、糊上げローラー（１８）と糊容器（７）の正面（７ａ）の間に溜まっている糊Ｂと、糊上げローラー（１８）と糊容器（７）の背面（７ｂ）の間に溜まっている糊Ｂの液面高さが均等になるまで汲み上げられるので、残留糊量を減少させることができる。
【００３８】
続いて、第２の実施形態の糊容器（４０）を図７と図８を用いて説明する。
糊容器（４０）は、糊容器（４０）の内側に糊容器内層（４４）が装着される二重構造となっている。
図７に示すように、糊容器（４０）の正面（４０ａ）と背面（４０ｂ）と左側面（４０ｃ）と右側面（４０ｄ）と底面（４０ｅ）と底面（４０ｆ）に、
糊容器内層（４４）の正面（４４ａ）と背面（４４ｂ）と左側面（４４ｃ）と右側面（４４ｄ）と底面（４４ｅ）と底面（４４ｆ）が重なり、背面（４４ｂ）の上端付近と、左側面（４４ｃ）の糊上げローラ逃がし穴（４５ａ）の周囲と、右側面（４４ｄ）の糊上げローラ逃がし穴（４５ｂ）の周囲に弱粘着性の粘着剤が塗ってあり、糊容器（４０）の内側に分離可能に装着され、糊容器（４０）と糊容器内層（４４）の間に糊寄せ（４１）が、蝶番（４７ａ）と蝶番（４７ｂ）により取り付けられており、糊寄せ（４１）の底面（４１ｂ）と、糊容器（４０）の底面（４０ｆ）との間には、板状のバネ（４６ａ）とバネ（４６ｂ）とバネ（４６ｃ）が設けられており、糊Ｂが入れられていない状態では、バネの復元力により、糊寄せ（４１）の底面（４１ｂ）は、糊上げローラー（１８）に向かう下り勾配が最も大きくなる方向に傾いた状態で保持されている。
【００３９】
バネ（４６ａ）とバネ（４６ｂ）とバネ（４６ｃ）のバネ定数は、糊容器（４０）に貯留されている糊Ｂの量が満状態（図８（ａ）の状態）の時に、バネの復元力が糊Ｂの重みに負けて、糊寄せ（４１）が糊容器（４０）の底面（４４ｆ）に接触し、糊Ｂの量が糊切れ状態の（図８（ｂ）の状態）の時に、バネの復元力が糊Ｂと糊寄せ（４１）を押し上げるバネ定数としている。
【００４０】
また、糊容器（４０）と糊寄せ（４１）はアルミ材質であり、糊容器内層（４４）は変形と復元ができる程度の厚みの樹脂材質である。
【００４１】
図８（ｂ）に示す、糊Ｂが十分に貯留されている状態では、糊Ｂの重みにより、バネ（４６ａ）とバネ（４６ｂ）とバネ（４６ｃ）は下方に曲がって、糊寄せ（４１）の底面（４１ｂ）が、糊容器（４０）の底面（４０ｆ）と接しており、糊Ｂが減少して軽くなってくると、図８（ｃ）に示すように、バネ（４６ａ）とバネ（４６ｂ）とバネ（４６ｃ）の復元力により、糊寄せ（４１）の底面（４１ｂ）が、糊上げローラー（１８）に向かう下り勾配が大きくなる方向に傾いた位置で保持され、糊容器内層（４４）の正面（４４ａ）と底面（４４ｆ）は変形して糊上げローラー（１８）の方へ曲げられ、糊上げローラー（１８）と糊容器（４０）の正面（４０ａ）の間に溜まっている糊Ｂが、糊上げローラー（１８）の方へ寄せられ、糊上げローラー（１８）に接触する圧力が高まり、糊上げローラー（１８）に付着して汲み上げられる。
【００４２】
そして、糊上げローラー（１８）と糊容器（４０）の正面（４０ａ）の間に溜まっている糊Ｂと、糊上げローラー（１８）と糊容器（４０）の背面（４０ｂ）の間に溜まっている糊Ｂの液面高さが均等になるまで汲み上げられるので、残留糊量を減少させることができる。
【００４３】
続いて、第３の実施形態の糊容器（６０）を図９と図１０を用いて説明する。
糊容器（６０）は二重構造ではなく、アルミ材質の糊容器（６０）の正面（６０ａ）と底面（６０ｆ）をゴム材質の変形部（６９）とした容器である。正面（６０ａ）と底面（６０ｆ）に抜き穴部（６０ｇ）が設けられ、抜き穴部（６０ｇ）にゴム材質の変形部（６９）を貼り付けている。
また、糊容器（６０）の左側面（６０ｃ）と右側面（６０ｄ）には、糊上げローラー（１８）を装着するための糊上げローラー受け（６２ａ）と糊上げローラー受け（６２ｂ）が設けられている。
【００４４】
また、変形部（６９）を変形させるために、自動壁紙糊付機（１）の本体部（３）の左右一対の下部フレーム（９）の間に糊寄せ（６３）が設けられている。
図１０（ａ）に示すように、糊寄せ（６３）は、回動軸（６４）に通されて取り付けられ、回動軸（６４）の先端には操作レバー（６５）が取り付けられている。
操作レバー（６５）にはプランジャー（６６）が取り付けられ、  図１０（ｂ）に示すように、プランジャー（６６）の先端がプランジャー受け板（６７）に設けられたプランジャー受け孔（６８）によって糊寄せ（６３）が所定の位置に保持される構成である。
【００４５】
続いて、糊寄せ（６３）が作用した状態を図１１を用いて説明する。
図１１（ａ）は、糊寄せ（６３）が変形部（６９）に軽く接触した状態で、変形部（６９）は変形していない状態である。
【００４６】
図１１（ｂ）はプランジャー（６６）の先端がプランジャー受け孔（６８）によって保持されて、糊寄せ（６３）が変形部（６９）を上方へ押し上げて変形部（６９）が変形して、
底面（６０ｆ）が糊上げローラー（１８）に向かう下り勾配が大きくなっている状態である。
【００４７】
本発明の自動壁紙糊付機（１）の演算部（２３）が、回転させている時の液面高さと糊上げローラー（１８）停止中の糊Ｂの液面高さの差が所定以下になった場合に、表示操作部（２１）に糊切れ警告をだし、作業者の手により、操作レバー（６５）が回されて、変形部（６９）を上方へ押し上げた状態で、図９（ｃ）に示すように、プランジャー受け孔（６８）によって保持され、変形部（６９）が糊上げローラー（１８）に向かう下り勾配が大きくなる方向に傾いて変形した状態で保持される。
糊上げローラー（１８）と糊容器（６０）の正面（６０ａ）の間に溜まっている糊Ｂが、糊上げローラー（１８）の方へ寄せられ、糊上げローラー（１８）に接触する圧力が高まり、糊上げローラー（１８）に付着して汲み上げられる。残留糊量を減少させることができる。
【００４８】
本発明の自動壁紙糊付機（１）は、１本の糊上げローラー（１８）を糊容器（７）の内部に脱着自在に装着する方式であるが、２本の糊上げローラーを上下に重ねて配置する方式のものや、糊付けローラーが糊容器に入り込むように配置されて、糊付けローラーが直接、糊容器（７）の内部の糊Ｂを汲み上げる方式の壁紙糊付機にも適用できるものであり、糊Ｂが偏る方向は、糊Ｂを汲み上げるローラーの回転方向によって異なるので、糊寄せ手段を、糊が偏る側に設ければ同様の効果が得られる。
【００４９】
また、本発明の糊寄せ手段は、作業者が手で引っぱって壁紙Ａを搬送させて糊付けを行う、手動型の壁紙糊付機にも適用できるものである。
【００５０】
また、第３の実施形態の糊容器（６０）の回転軸（６４）を回動させるモーター（図示せず）を設けて、糊上げローラー（１８）停止中の糊Ｂの液面高さと、回転中の液面高さの差が所定以下になった場合に、演算部（２３）がモーター（図示せず）を起動して回動させる構成とした場合も、同様の効果が得られる。
【００５１】
本発明の自動壁紙糊付機（１）は、糊容器に貯留した糊を糊上げローラーにより汲み上げて壁紙に塗布する自動壁紙糊付機であって、糊容器に貯留されている糊をローラーの方向へ寄せる糊寄せ手段を設け、糊寄せ手段は、糊容器の底面の、ローラー方向への下り勾配を大きくして、糊切れ状態で糊容器に残留する糊をローラーの方向へ寄せてローラーに付着し易くすることにより、糊切れ状態で糊容器に残留する糊を低減させる壁紙糊付機である。
【符号の説明】
【００５２】
１    壁紙糊付機
２    脚
３    本体部
４    スリッター
５    制御装置
６    壁紙保持用リール
７    糊容器
７ａ  正面
７ｂ  背面
７ｃ  左側面
７ｄ  右側面
７ｅ  底面
７ｆ  底面
８    上部フレーム
９    下部フレーム
１０    検尺ローラー
１１    ハイテンションローラー
１２    押さえローラー
１３    送り出しローラー
１４    糊付けローラー
１５    ナラシローラー
１６    糊容器脚受け
１７    糊容器受け
１８    糊上げローラー
１９    ドクターローラー
２０    原反受け
２１    表示操作部
２２    記憶部
２３    演算部
２４    モーター制御部
２５    検尺部
２６    液面測定部
２７    モーター
２８    上部ステー
２９ａ  糊容器脚
２９ｂ  糊容器脚
３０ａ  糊上げローラー受け
３０ｂ  糊上げローラー受け
３１    糊容器内層
３１ａ  正面
３１ｂ  背面
３１ｃ  左側面
３１ｄ  右側面
３１ｅ  底面
３１ｆ  底面
３２ａ  糊上げローラー受け逃がし穴
３２ｂ  糊上げローラー受け逃がし穴
３４    糊寄せ
３４ａ  側面
３４ｂ  底面
３５ａ  雌ネジ
３５ｂ  雌ネジ
３６ａ  操作つまみ
３６ｂ  操作つまみ
３７ａ  ガイド穴
３７ｂ  ガイド穴
３７ｃ  保持溝
３７ｄ  保持溝
４０    糊容器
４０ａ  正面
４０ｂ  背面
４０ｃ  左側面
４０ｄ  右側面
４０ｅ  底面
４０ｆ  底面
４１    糊寄せ
４１ａ  側面
４１ｂ  底面
４２ａ  糊容器脚
４２ｂ  糊容器脚
４３ａ  糊上げローラー受け
４３ｂ  糊上げローラー受け
４４    糊容器内層
４４ａ  正面
４４ｂ  背面
４４ｃ  左側面
４４ｄ  右側面
４４ｅ  底面
４４ｆ  底面
４５ａ  糊上げローラー受け逃がし穴
４５ｂ  糊上げローラー受け逃がし穴
４６ａ  バネ
４６ｂ  バネ
４６ｃ  バネ
４７ａ  蝶番
４７ｂ  蝶番
６０    糊容器
６０ａ  正面
６０ｂ  背面
６０ｃ  左側面
６０ｄ  右側面
６０ｅ  底面
６０ｆ  底面
６０ｇ  抜き穴き部
６１ａ  糊容器脚
６１ｂ  糊容器脚
６２ａ  糊上げローラー受け
６２ｂ  糊上げローラー受け
６３    糊寄せ
６４    回動軸
６５    操作レバー
６６    プランジャー
６７    プランジャー受け板
６８    プランジャー受け孔
６９    変形部
１０１    壁紙糊付機
１０２    脚
１０３    本体部
１０４    スリッター
１０５    制御装置
１０６    壁紙保持用リール
１０７    糊容器
１０８    上部フレーム
１０９    下部フレーム
１１０    検尺ローラー
１１１    ハイテンションローラー
１１２    押さえローラー
１１３    送り出しローラー
１１４    糊付けローラー
１１５    ナラシローラー
１１６    糊容器脚受け
１１７    糊容器受け
１１８    糊上げローラー
１１９    ドクターローラー
１２０    原反受け
１２１    表示操作部
Ａ    壁紙
Ｂ    糊
Ｃ    たくれ
【図１】
2020025910.tif 000003
【図２】
2020025910.tif 000004
【図３】
2020025910.tif 000005
【図４】
2020025910.tif 000006
【図５】
2020025910.tif 000007
【図６】
2020025910.tif 000008
【図７】
2020025910.tif 000009
【図８】
2020025910.tif 000010
【図９】
2020025910.tif 000011
【図１０】
2020025910.tif 000012
【図１１】
2020025910.tif 000013
【図１２】
2020025910.tif 000014
【図１３】
2020025910.tif 000015
【図１４】
2020025910.tif 000016
【図１５】
2020025910.tif 000017